(57)【要約】【課題】従来の方法では，検索結果を画面に表示するとき，検索条件あるいは，検索結果の並び替え条件によっては，目的の情報を探しにくいという課題があった。【解決手段】検索条件として指定した項目毎にタブを作成したり，検索によって得られた情報に基づきタブを作成し，グループ化した検索結果情報を，タブ画面に表示することにより，目的の情報を探しやすくした。【選択図】図１
2005267584.tif 000002
【特許請求の範囲】
【請求項１】
条件を指定して情報の検索をし，その結果表示の実行を行うコンピュータシステムにおいて，タブの数，タブの背景色，タブの文字，タブの文字色，タブの文字書体，タブの文字サイズのいずれか，もしくは複数の設定を変化させることにより，検索結果を表示するコンピュータシステム。
【発明の詳細な説明】
【技術分野】
【０００１】本発明は，オペレーションシステム，アプリケーションプログラム等において，検索結果をタブの関連付けと色の変化により表示，管理するシステムに関するものである。
【背景技術】
【０００２】従来より，検索条件が多項目にわたる場合に，検索条件と一致する情報を抽出し，抽出結果を並び替えて画面に表示することがなされている。その検索結果の表示の場合，検索条件の項目の色，文字のサイズ，文字の色，文字のフォント，文字の表示位置を変えるなどして，検索条件項目とそれ以外の項目を区別することがなされている。また，検索結果が多数行に及び，単画面に表示しきれない場合，スクロールバーによって表示されていない部分を表示したり，別画面を呼び出して表示したりすることもなされている。
【発明が解決しようとする課題】
【０００３】従来の方法では，検索結果を単画面に表示しきれない場合には，表示画面をタブ画面（タブ画面は項目部分と表示部分で構成されており，以後，タブの項目部分をタブと呼ぶ。以後，項目部分と表示部分の両方を示す場合をタブ画面と呼ぶ）またはページ番号で分割していた。また，複数の条件（Ａ  ｏｒ  Ｂ）でＯＲ検索する場合，Ａの検索結果とＢの検索結果を同一ページに混在表示していた。また，別の例として，複数の条件（（Ａ  ｏｒＢ）ａｎｄ  Ｃ）で検索する場合，（Ａ  ａｎｄ  Ｃ）の検索結果と（Ｂ  ａｎｄ  Ｃ）の検索結果を同一ページに混在表示していた。また，別の例として，（Ａ  ａｎｄ  Ｂ  ａｎｄ  Ｃ）でＡＮＤ検索をする場合，Ｃが範囲を取ることができる日付や金額等の項目の場合，Ｃの範囲を区切り，表示画面をタブ画面に分けて，検索結果を表示することはなかった。そのため，検索結果と検索条件の関係を操作者が認識することは容易ではなかった。
【課題を解決するための手段】
【０００４】上記課題を解決するために，請求項１記載のシステムは，例えば，検索システムで，選択した行き先別（県，あるいは市などの地域名）のホテルのサービス一覧を，一定のサービスを含むという条件で価格順に表示するシステムの場合において，行き先別にタブ画面を作成し，タブの背景または文字もしくはその両方の色（以後，タブ色と呼ぶ）を別色に変化させ，タブの表示部分（以後，検索結果表示画面と呼ぶ）の中に，選択した行き先の検索結果情報を価格順に表示する。また，行き先を指定したものの，条件に合う情報がない場合には，タブ色を別色に変化させるか，あるいは，タブもしくはタブ画面を非表示にすることにより，検索した情報がないことを明確にする。別の例として，検索システムで，選択した行き先全部のホテルのサービス一覧を，一定のサービスを含むという条件で価格順に表示するシステムの場合において，範囲を取れる項目（例えば，価格帯，日付，曜日等）が検索条件または検索によって得られた情報に含まれるとき，得られた検索結果情報から，関連するタブ画面を作成したり，タブ色を別色に変化させ，検索結果表示画面に選択した行き先の検索結果情報を価格順に表示する。例えば，検索の結果として，日付情報が１月１５日から３月１５日までの情報を得た場合，１月から１２月までのタブ画面を作成しておいて，検索結果情報の得られた月と得られなかった月のタブ色を別色に変化させて表示するか，得られなかった月のタブまたはタブ画面を非表示にすることにより，検索して得た情報を識別することが容易になる。また別の例として，検索システムで，複数の行き先（都市）を指定し，一定の条件に合うすべてのツアー情報を，行き先別，航空会社別，価格順に表示するシステムにおいて，行き先別にタブ画面を作成し，その検索結果表示画面の中にさらに航空会社別のタブ画面を作成し，それら関係するタブの色を変え，選択した行き先と航空会社の２次元でグループ化した検索結果情報を価格順に表示するようにすることにより，複雑化した検索結果を整理できるので，検索して得た情報を識別することが容易になる。
【発明の効果】
【０００５】本発明は次のような効果を奏する。つまり，検索が複雑になるにつれて，検索条件が増加し，また，検索対象の情報が多くなるにともない，検索結果も増加するが，操作者はそれら情報が，タブ画面によって分類されて表示されるので，情報の意味を理解しやすくなる。
【発明を実施するための最良の形態】
【０００６】図１は１次元でグループ化された検索結果がタブで分類された検索結果表示画面に表示されていることを示す。図２は検索条件の入力画面の例を示す。図３は２次元でクループ化された検索結果がタブ画面に表示されていることを示す。検索結果の表示の対象になっているタブ色の変化は便宜上，白地に黒，白地に太文字で示す。検索条件入力画面（図２の３）で検索条件を入力すると，図１のような検索結果が表示される。検索条件入力画面（図２の３）で入力したものの，その検索項目で検索結果が得られない（図１の１）場合は，条件項目を示すタブ色を別色に変化させることにより，検索結果なしであることを明確にするとともに，その検索結果表示画面を非アクティブな画面にする。あるいは，タブもしくはタブ画面を非表示にする。検索条件入力画面（図２の３）の検索項目で検索結果が得られる（図１の２）場合は，検索項目を示すタブ色を別色に変化させることにより，得られた情報が検索項目別の検索結果であることを明確にするとともに，検索結果表示画面に検索結果を表示している。検索結果（図３の４）を，さらに別の条件でグループ化（図３の５）して表示する場合，検索結果表示に関連する２つのタブ（図３の４と図３の５）色を別色に変化させて，検索条件項目を明確にしている。全部（図３の６）のタブを選択すると，検索項目（図３の４）の検索結果内容のすべてを得られる。
【図面の簡単な説明】
【０００７】
【図１】検索結果表示画面で，タブ画面を作成し，そのタブ色，タブ文字の変化によって，検索結果なしと検索項目別の検索結果表示があることを管理していることを示す。
【図２】検索条件入力画面で，検索条件の入力中画面であることを示す。
【図３】検索結果表示画面で，２次元でクループ化した検索結果を，複数のタブ画面に分類して表示されていることを示す。
【符号の説明】
【０００８】１  検索結果が得られず、タブ色を検索なしを示す色に変化させている。
２  検索結果が得られ、検索項目でタブ画面を作成し、タブ色を変化させている。
３  検索条件を入力している。
４  検索結果が得られ、検索項目でタブ画面を作成し、タブ色を変化させている。
５  検索結果をさらに別の条件でグループ化してタブ画面を作成しタブ色を変化させている。
６  検索結果のすべてを表示するためのタブを示している。
【図１】
2005267584.tif 000003
【図２】
2005267584.tif 000004
【図３】
2005267584.tif 000005